(57)【要約】【課題】  構造を複雑にすることなく、設置状態にかかわらず引き戸本体と吊り車との関係を自動調整できて、吊り車に過度な負荷を与えることなく円滑に走行ができる構成の引き戸の吊下げ支持装置を提供する。【解決手段】  ローラ１４が所要間隔で前後に２個配される支持部片１２を左右一対、独立して中央位置で連結部片１３の両側にてに枢支されるように形成される吊り車１１と、引き戸本体の頂部に取着されて上部に走行方向と平行する軸線上で回動自在に取付く連結部片２４を備える取付具２０と、この取付具２０と前記吊り車１１とを連結する連結桿２７とで構成され、前記連結桿２７は基部を前記取付具２０の連結部片２４にその回動軸線と直交して設けられた連結孔に挿入支持されて、先端部側を前記吊り車１１の連結部片１３に設けた雌ねじ連結孔に螺合して連結される。【選択図】    図２
2008115568.tif 000002
【特許請求の範囲】
【請求項１】
引き戸設置箇所の上部に設けたガイドレールに沿って走行自在な吊り車と連結桿で繋いで引き戸本体を吊下げ支持する引き戸の吊下げ支持装置であって、
ローラが所要間隔で前後に２個配される支持部片を左右一対、独立して中央位置で連結部片の両側にて枢支されるように形成される吊り車と、引き戸本体の頂部に取着されて上部に走行方向と平行する軸線上で回動自在に取付く連結部片を備える取付具と、この取付具と前記吊り車とを連結する連結桿とで構成され、前記連結桿は基部を前記取付具の連結部片にその回動軸線と直交して設けられた連結孔に螺合もしくは挿入支持されて、先端部側を前記吊り車の連結部片に設けた雌ねじ連結孔に螺合して連結されることを特徴とする引き戸の吊下げ支持装置。
【請求項２】
前記取付具は、引き戸本体の頂部に収まる幅で所要長さ寸法でその引き戸本体頂部への取付座を備えるベース部片と、このベース部片の上側で連結部片を引き戸本体の走行方向に沿った軸線上で回動自在に支持するブラケットを備え、前記連結部片の中央部にはその回動軸線と交差するむきで連結桿の連結孔が設けられている請求項１に記載の引き戸の吊下げ支持装置。
【請求項３】
前記取付具は、引き戸本体の頂部に埋め込まれる幅で所要長さ寸法の上部を開放して屈曲形成された保持体と、この保持体内側中央で長手軸方向に両端を一対の支持部片にて軸支されて回動可能に配される連結部片と、前記保持体の上方に配される押え板とで構成され、前記回動可能な連結部片の中央にその軸線に直交して連結桿と螺合する取付ねじ孔が設けられている請求項１に記載の引き戸の吊下げ支持装置。
【請求項４】
前記取付具は、引き戸本体の頂部に、その長手方向に挿入埋設された溝形の取付具装着フレームに嵌合して、前記押え板によりその取付具装着フレームに固定保持されるようにする請求項３に記載の引き戸の吊下げ支持装置。
【請求項５】
前記連結桿は、中間部に回転操作部を設けてその回転操作部から両端に向かって右ねじと左ねじとが形成されている請求項１または３に記載の引き戸の吊下げ支持装置。
【発明の詳細な説明】
【技術分野】
【０００１】
本発明は、引き戸装置におけるドア本体の上部に付設されてガイドレールに沿い走行自在に支持される引き戸の吊下げ支持装置に関するものである。
【背景技術】
【０００２】
建物の出入口などに設けられる引き戸装置は、主に建物内の上部に配設されたガイドレールに吊下げられて走行する吊り車と上部を連結された縦軸の連結桿下端部を、ドア本体の頂部に付設の取付金具に繋いでドア本体が吊下げられるようにされている。このようにされる吊り車と取付金具および両者を繋ぐ連結桿とによる引き戸の吊下げ手段は、主に引き戸（ドア）の吊下げ高さを調整するためにねじ機構による上下調節装置を備えている。そして、前記吊り車としては、一般に走行方向の前後に所要間隔で２個ずつ４個のローラが配されたベース部材の中央にて、前記連結桿が垂下連結するように形成されている。ドア本体は、このような吊り車から垂下する連結桿の下端部を、そのドア本体の頂部に取付けられた取付金具に接続されて吊下げられ、ガイドレールに沿って吊り車が走行することにより引き戸（ドア）が開閉されるようになっている。
【０００３】
従来の引き戸装置におけるドアの吊下げ支持装置は、前述のような構成によるために、吊り車がガイドレール上を走行する際、４つのローラが常時ガイドレール上に当接しているとは限らず、ガイドレールの水平度がよくないと４個のローラのいずれかが浮いた状態となって他のローラに偏荷重を受けることから走行が円滑に行えない。言換えると走行のために過剰な推進力（動力）を必要とする。そこで、本出願人は、このような現象を改善してガイドレールに対してすべてのローラが当接し、偏荷重とならないようにした吊り車を用いる吊下げ支持装置を先に提案している（特許文献1参照）。
【０００４】
【特許文献１】特開２００５−４７６７２号公報
【発明の開示】
【発明が解決しようとする課題】
【０００５】
しかしながら、例えば自動ドア装置として既設の建物の出入口に引き戸装置は、設置するに際して建物側の状態を計測してみるに、ほとんどの建物において、開口部を形成する部材、例えば三方枠はその設置状態での垂直度が乏しく、鉛直面に対していくらかの傾き状態で設置されているのが現状である。したがって、開口部の上部部材（上框）に沿ってドア装置の取付部材を取付けると、どうしてもいくらかの傾きが発生するので、例えば引き戸の走行部に対する垂直面を開口部における鉛直面上に揃えることが困難である。特に既存の建物に対して引き戸装置の設置部のみを正しい状態に修正して取り付けることは、微妙な修正を建物への取付け箇所に施すことになり、多くの手数を要することになる。このようなことから、従来技術によって引き戸を設置すると、前記傾きがある場合、引き戸の吊下げ支持装置に傾き相当分の負荷が変則的に発生し、そのために引き戸を開閉する際過負荷になることが避けられない。言換えると、引き戸の開閉が重くなるという問題点がある。
【０００６】
本発明は、前述のような問題点を解決するためになされたものであり、構造を複雑にすることなく、設置状態にかかわらず引き戸本体と吊り車との関係を自動調整できて、吊り車に過度な負荷を与えることなく円滑に走行ができる構成の引き戸の吊下げ支持装置を提供することを目的とするものである。
【課題を解決するための手段】
【０００７】
前記目的を達成するために、本発明の引き戸の吊下げ支持装置は、
引き戸設置箇所の上部に設けたガイドレールに沿って走行自在な吊り車と連結桿で繋いで引き戸本体を吊下げ支持する引き戸の吊下げ支持装置であって、
ローラが所要間隔で前後に２個配される支持部片を左右一対、独立して中央位置で連結部片の両側にて枢支されるように形成される吊り車と、引き戸本体の頂部に取着されて上部に走行方向と平行する軸線上で回動自在に取付く連結部片を備える取付具と、この取付具と前記吊り車とを連結する連結桿とで構成され、前記連結桿は基部を前記取付具の連結部片にその回動軸線と直交して設けられた連結孔に螺合もしくは挿入支持されて、先端部側を前記吊り車の連結部片に設けた雌ねじ連結孔に螺合して連結されることを特徴とするものである（第１発明）。
【０００８】
前記発明において、前記取付具は、引き戸本体の頂部に収まる幅で所要長さ寸法にしてその引き戸本体頂部への取付座を備えるベース部片と、このベース部片の上側で連結部片を引き戸本体の走行方向に沿った軸線上で回動自在に支持するブラケットを備え、前記連結部片の中央部にはその回動軸線と交差する向きで連結桿の連結孔が設けられているのが好ましい（第２発明）。
【０００９】
また、前記発明において、前記取付具は、引き戸本体の頂部に埋め込まれる幅で所要長さ寸法の上部を開放して屈曲形成された保持体と、この保持体内側中央で長手軸方向に両端を一対の支持部片にて軸支されて回動可能に配される連結部片と、前記保持体の上方に配される押え板とで構成され、前記回動可能な連結部片の中央にその軸線に直交して連結桿と螺合する取付ねじ孔が設けられている（第３発明）。
【００１０】
また、前記第３発明において、前記取付具は、引き戸本体の頂部に、その長手方向に挿入埋設された溝形の取付具装着フレームに嵌合して、前記押え板によりその取付具装着フレームに固定保持されるようにするのがよい（第４発明）。また、前記第１発明または第３発明において、前記連結桿は、中間部に回転操作部を設けてその回転操作部から両端に向かって右ねじと左ねじとが形成されているのがよい（第５発明）。
【発明の効果】
【００１１】
本発明によれば、吊り車の各ローラが連結部片に対して両側部で各々前後に搖動可能に取付けられた支持部片に支持されているから、ガイドレールの状況に応じて自在に変位してそれらローラが、常に全数でガイドレールの案内面に当接して走行できる。このようにされた吊り車に対して連結桿にて繋いで吊下げ支持される引き戸本体付設の取付具では、連結桿と連結される連結部片が走行方向と交差する向きに回動自在に付されているので、ガイドレールを備える上部支持構造部材の中心軸線を通る走行垂直面と引き戸の中心軸線を通る走行垂直面とが一致せずずれがあっても、吊り車と取付具とを繋ぐ連結桿が取付具側の連結部片の回動変位によって傾いて連結を維持する、あるいは引き戸本体が少し傾いた状態で連結桿に吊り荷重が作用する状態で支持される。したがって、取付具側の連結部片の回動変位で吊り車側との連結を維持して、吊り車に作用する負荷で各ローラがガイドレールから浮き上がることなく転動して走行でき、変則状態であっても吊り車に大きな負荷を与えずに引き戸の開閉を円滑に行わせることができるという効果を奏する。
【発明を実施するための最良の形態】
【００１２】
次に本発明による引き戸の吊下げ支持装置の具体的な実施の形態について、図面を参照しつつ説明する。なお、第１実施形態は自動ドア装置に採用されたものについて、また、第２実施形態は通常の引き戸に採用されたものについて、それぞれ示す。
【００１３】
（第１実施形態）
図１には本発明に係る引き戸の吊下げ支持装置を備えた自動ドア装置の全体図が、図２には図１に示す引き戸の吊下げ支持装置の一実施形態を示す正面図が、図３には図２の右側面図が、図４には図２の平面図が、図５には図２の中央縦断面図が、図６には図２のＡ−Ａ視断面図が、図７には使用の態様を表す図が、図８には作動態様の説明図が、それぞれ示されている。
【００１４】
この実施形態の引き戸の吊下げ支持装置１０は、引き戸を自動的に開閉できるようにされた自動ドア装置１に採用した場合について説明する。この自動ドア装置１における引き戸の吊下げ支持装置１０は、図１および図７に示されるように、建物の出入口上部に付設された上部支持構造部材２内のガイドレール３に沿って走行自在に配される吊り車１１と、出入口を開閉する引き戸５の頂部５ｂに取付く取付具２０と、前記吊り車１０とその取付具２０とを繋いで引き戸５を吊下げる連結桿２７とで構成され、その引き戸５に対して所定の間隔で二組設けられている。なお、図中符号６はスクリュー駆動機、６ａはスクリュー、７は動力伝達ローラアーム、７ａはスクリューによって操作される動力伝達ローラで、前記動力伝達ローラアーム７は吊下げ支持装置１０に接続されて引き戸５の開閉を行えるようになっている。
【００１５】
前記上部支持構造体２は、例えば図７にその断面図で示されるように、所要の間隔を持って相対向する壁面部位２ａ、２ａ’を上側で横繋ぎ部位２ｂにて繋いで図上下向き開放の箱形に形成され、一方の壁面部位２ａを前記横繋ぎ部位２ｂより上方に延長してかつ上端を鉤形に屈曲形成し、その横繋ぎ部位２ｂと鉤形に形成された上端部位２ｃが平行にされ、一側面（横繋ぎ部位２ｂと上端部位２ｃとの間）を開放した空間部２ｈが形成されている。また、前記横繋ぎ部位２ｂ以下の両壁面部位２ａ、２ａ’の内側には、所要の間隔をおいて内向き対称に上面をローラ案内面３’とするガイドレール部３、３が、かつその上方に相対向して先端で水平方向の案内をするガイドレール部４，４が、それぞれ一対形成されている。この上部支持構造体２はアルミニウム材で押出し成形により形成されている。
【００１６】
一方、吊り車１１は、図２〜図６にて示されるように、中央部に連結部片１３を配してその両外側に長手両端を内向きに屈曲形成してなる所要寸法の金属板製の支持部片１２が一対、中央位置で前記連結部片１３の両側から横向きに突き出す枢支軸１３ａ，１３ａにより，それぞれ上下方向回動自在に取付けられている。これら支持部片１２，１２には前記枢支軸１３ａを基点として走行方向に所要距離隔てて外側にローラ１４が、前後左右に４個それぞれ回転自在に軸１５で支持されて付設されている。なお、前記各ローラ１４は、両側の支持部片１２ごとに前記上部支持構造体２の内側に形成された両ガイドレール３，３に受支され、走行できるように関係付けられている。また、前記連結部片１３の中央には、上下方向に貫通する雌ねじの取付ねじ孔１６が設けられている。
【００１７】
前記取付具２０は、図７に示されるように、引き戸本体５Ａの頂部５ｂに収まる幅寸法で所要の長さにして長手方向両端部に取付孔２３を設けた取付座を有し、上面中間部に所要の間隔で直立部位２２ａを有するブラケット２２，２２を一対、リベット２１ａ，２１ａにて一体的に固着付設してなるベース部片２１と、このベース部片２１上の前記ブラケット２２，２２に設けた軸孔により両端軸部２４ａ，２４ａを支持されてベース部片２１の長手方向に軸心線を平行させて回動自在に付設される連結部片２４とで構成されている。この連結部片２４の中央には連結桿取付孔２５が回動軸線に直交して穿設されている。また、前記ベース部片２１の中央には前記連結部片２４の連結桿取付孔２５と軸心を合致するようにして連結桿挿通孔２６が設けてある。
【００１８】
前記連結桿２７は引き戸本体５Ａをその開閉走行位置に配置した状態で、引き戸本体頂部５ｂに取付けられた前記取付具２０の連結部片２４と前記吊り車１１の連結部片１３とをつないで吊下げ支持するのに要する長さ寸法にされ、基端に回転操作用の頭部２７ａが形成され、中間部から先端部側に所要長さ区間をねじ軸２７ｂとした軸体とされている。図中符号２８は連結桿２７の固定止めねじである。
【００１９】
このように構成される本実施形態の引き戸の吊下げ支持装置１０は、これを自動ドア装置１に用いた場合について説明すると、図１および図７に示されるように、建物出入口のフロント部材に沿わせて上部支持構造部材２を付設し、この上部支持構造部材２内のガイドレール３，３の案内面３’、３’上に吊り車１１を配置する。一方、上部支持構造部材２の前記吊り車１１が支持されるガイドレール３，３の下方には、引き戸本体５Ａが配置され、この引き戸本体５Ａの頂部５ｂに取り付けた前記取付具２０の連結部片２４と前記吊り車１１の連結部片１３とを連結桿２７によって連結して引き戸本体５Ａを吊下げる。
【００２０】
こうして建物側に取付く上部支持構造部材２に付設のガイドレール３，３上に支持された吊り車１１に連結桿２７を介して引き戸本体５Ａが吊下げ支持されると、例えばその吊り車１１が走行するガイドレール３，３の案内面３’が建物に対する上部支持構造部材２の取付け状態の都合で、水平状態に揃っていない場合、図８に示されるように、自重によって鉛直に配置された引き戸本体５Ａの頂部５ｂにおける取付具２０の軸心線Ｑと上部支持構造部材２（ガイドレール）の軸心線Ｐとにずれが生じる。しかし、吊り車１１と取付具２０とを繋ぐ連結桿２７は、取付具２０側の連結部片２４が引き戸本体頂部５ｂにおいて、その引き戸本体５Ａの走行方向（長手方向）軸線に沿って取付具２０のブラケット２２，２２による支持軸線が平行に支持されて、この支持軸線（軸心線Ｑ）に対して交差する向きで回動可能に取付いているから、吊り車１１側の変位に追従して傾斜状態になって連結を維持する。したがって、極端な傾きが生じない限り、吊り車１１と引き戸本体５Ａとはその配置のままの状態で吊り車１１に連結されて走行し、ドアの開閉が無理なく行われるのである。
【００２１】
この際、吊り車１１の連結部片１３に対する連結桿２７の連結姿勢は、連結部片１３に設けられた連結孔１６に対して連結桿２７の先端部がねじ部２７ｂの螺合により結合しているので、いわば吊り車１１の中心を通る垂線上に連結桿２７の軸心が合致した状態で繋がれて、吊り車１１と取付具２０との間で生じるずれに応じた分取付具２０に付設の連結部片２４が支持するブラケット２２，２２の軸孔における支持軸部２４ａ，２４ａの回動変位によって連結桿２７の傾きに即応する。こうして、吊り車１１と取付具２０を介して引き戸本体５Ａが繋がっているから、連結桿２７に作用する吊下げ力で、その吊り車１１の各ローラ１４はいずれもガイドレール３の案内面３’に当接した状態を保って走行できる。したがって、吊り車１１には大きな偏荷重が作用することなく円滑にドア（引き戸５）の開閉を行うことができるのである。ガイドレール３（上部支持構造部材２）の傾きあるいは引き戸本体５Ａの傾きなど両者間において、取付部に傾きが生じていても、取付具２０に付設の連結部片２４を走行方向に交差する向きで回動可能にして連結桿２７が取付くように形成したことにより、吊り車１１の走行に支障を来たすことなく引き戸５を円滑に走行開閉することができるのである。また、建物が地震によって上記のように上部支持構造部材２の取付側で傾くようなことがあっても、吊り車１１と引き戸本体５Ａとを繋ぐ取付具２０における連結部片２４の回動でもって前記同様に変位して、支障なく引き戸５を円滑に開閉が行えるのである。
【００２２】
（第２実施形態）
次に、本発明に係る引き戸の吊下げ支持装置を通常の吊下げ式引き戸に採用した実施形態について説明する。
【００２３】
図９には第２実施形態の引き戸の吊下げ支持装置の正面図が、図１０には図９における左側面図が、図１１には吊下げ支持装置の単体を表わす正面図が、図１２には図１１の平面図が、図１３には吊下げ支持装置の中央断面図が、図１４には図１３のＢ−Ｂ視断面図が、それぞれ示されている。
【００２４】
この実施形態の引き戸の吊下げ支持装置１０Ａは、前記実施形態のものと基本構成においてほぼ同様であるが、引き戸５は手動で開閉できるものに適用する構成にされている点で一部を異にするものである。したがって、構成の異なる部分に重点をおいて説明する。なお、前記第１実施形態のものと同一もしくは同様の構成部分については、前述のものと同一の符号を付して詳細な説明を省略するものとする。
【００２５】
この引き戸の吊下げ支持装置１０Ａは、図9および図10に示されるように、建物の出入口上部に付設された上部支持構造部材２Ａ内のガイドレール３に沿って走行自在な吊り車１１と、引き戸５の頂部５ｂに埋設して取付く取付具３０と、前記吊り車１１とその取付具３０とを繋いで引き戸５を吊下げる連結桿４０とで構成され、その引き戸５の幅方向（長さ方向）の両端部にて二組設けられている。
【００２６】
この実施形態における上部支持構造体２Ａは上部を横繋ぎ部位２ｂで繋いで両側に壁面部位２ａ，２ａが所要の間隔で配されて、その両壁面部位２ａ，２ａの内側から所要の間隔をおいて内向き対称に上面をローラ案内面３’とするガイドレール部３、３が突設され、下向き開放の断面構造に形成されている。そしてこの上部支持構造体２Ａは、図１０で示されるように引き戸５が二枚の場合には並列して鴨居８の下面に沿って木ねじ８ａなどで取付けられる。なお、この実施形態の引き戸５は、下部を下部ガイドレールとローラ装置９によって案内される構造になっている（ただし、これに限定されない）。
【００２７】
前記吊り車１１は、前記実施形態のものとほぼ同様に、中央部に配された連結部片１３の両側で、前後外側にそれぞれローラ１４を配設された支持部片１２，１２が揺動自在に枢支されて設けられている。
【００２８】
そして、取付具３０は、引き戸本体５Ａの長さ方向（幅方向）の両端頂部に埋め込まれる幅で所要長さ寸法の金属板を前後で上向きに屈曲形成された保持体３１と、この保持体３１の内側中央で長手軸方向に両端を一対の支持部片３２，３２にて軸支されて回動可能に配される連結部片３３と、前記保持体３１に保持された支持部片３２，３２と連結部片３３との上方を可動的に覆う押え板３７とで構成されている（図１３参照）。前記保持体３１は、薄金属板で底部と長手両端の側面とを所要寸法に側面視扁平Ｕ字型に屈曲形成されて上面と側面を開放した構造にされており、その内側に前記連結部片３３とその前後に配される一対の支持部片３２，３２とが挿入されている。前記支持部片３２には、その軸心に軸受穴３４と固定穴３４’とが一軸上に穿設され、その軸受穴３４に中央部に位置する連結部片３３の支持軸３３ａを挿入支持するようにされており、その連結部片３３が支持軸線上で回動可能にされている。
【００２９】
前記各支持部片３２には、いずれも軸受穴３４を通る軸線に直交するねじ孔３５の底部でリベット３６にて保持体３１の底部に締結固定されており、そのねじ孔３５には上側に位置する取付板３７から挿入される六角ボルト３８が螺合定着されている。また、前記取付板３７の下面と前記各支持部片の上面との間にはコイルばね３８ａがそれぞれ介在させ、取付板３７を押し上げるようにされている。
【００３０】
前記連結部片３３には、その中央にその軸線に直交して連結桿４０と螺合する取付ねじ孔３９が設けられている。この連結部片３３と前記吊り車１１の連結部片１３とは、連結桿４０によって連結されている。この連結桿４０は中間位置に回転操作用の外周を例えば六角形に形成された回転操作鍔４１が形成され、この回転操作鍔４１から一方には右ねじ軸４２が、他方には左ねじ軸４３が一体に連接形成されて、それらねじ軸４２，４３が一方は取付具３０側の連結部片３３のねじ孔３９に、他方は吊り車１１の連結部片１３における中央ねじ孔１６に、それぞれ同時に螺合させて連結されている。図中符号４５は固定用ナットである。
【００３１】
前記取付具３０が装着される引き戸本体５Ａの頂部５ｂには、図９および図１０にて示されるように、前記保持体３１が長手方向に挿入できる内法の溝部を備えた長寸の取付具装着フレーム３０ａが引き戸本体上框に沿って埋設されており、この取付具装着フレーム３０ａ内に取付具３０をその取付具装着フレーム３０ａ端部から挿入して、取付板３７を前記取付具装着フレーム３０ａの上側開口部に嵌め合わせ、ボルト３８，３８を保持体３１の内側に位置する連結部片３３のねじ孔に螺合させて締付け、取付具装着フレーム３０ａの溝上部で内側に突出す部分に前記取付板３７を押付けて固定する。こうすることにより、この取付具３０が引き戸本体５Ａに埋設固定され、前記連結桿４０により吊り車１１に吊下げ支持されることになる。なお、前記取付具装着フレーム３０ａの端部には端面カバー３０ｂを取付具３０の一端にねじ止めして外観を整えておく。また、前記取付具装着フレーム３０ａは木ねじによって引き戸本体５Ａの上框に対して固定され、ずれないようにされている。
【００３２】
このように構成される実施形態では、図９および図１０に示されるように、吊り車１１によって連結桿４０を介して吊下げられた引き戸本体５Ａが開閉操作されるときに、前記実施形態において記載したように、例えば建物側の鴨居８の取付け状態が正常でなく幾らかの傾斜状態にあるために、この鴨居８の下面に沿って付設された上部支持構造部材２Ａが敷居（下部のガイドレール）と同一垂直面上に位置しない取付け状態であって、この上部支持構造部材２Ａ吊り下げ中心を通る鉛直面とその内部に位置するガイドレール３に沿って案内支持される吊り車１１と連結桿４０を介して繋がる取付具３０にて吊下げ支持される引き戸本体５Ａの吊下げ中心を通る鉛直面との間にずれが生じていても、前記連結桿４０が取付く取付具３０側の連結部片３３は、走行方向に交差する向きで回動可能に設けられているので、引き戸本体５Ａに作用する自重量でこの引き戸本体５Ａが鉛直状態を保って、連結桿４０が傾動し、吊り車１１に引き戸本体５Ａの吊下げ荷重が作用することになる。したがって、吊り車１１の４個のローラ１４はいずれも浮き上がることなくガイドレール３，３の案内面３’に当接して転動し、走行できるので、偏荷重が生じることはなく円滑に走行することができ、引き戸の開閉操作を損なうことがない。
【００３３】
なお、この実施形態においては、連結桿４０の中間位置に設けられた回転操作鍔４１を外部からスパナなどの工具を使用して回動させることにより、上下方向に繋がるねじ軸部が右ねじと左ねじに形成されているので、吊り車１１側と取付具３０側との螺合部が同時に同時に操作させれて、僅かな回動で上下高さ調整が簡単に行える。
【図面の簡単な説明】
【００３４】
【図１】本発明に係る引き戸の吊下げ支持装置を備えた自動ドア装置の全体図
【図２】図１に示す引き戸の吊下げ支持装置の一実施形態を示す正面図
【図３】図２の右側面図
【図４】図２の平面図
【図５】図２の中央縦断面図
【図６】図２のＡ−Ａ視断面図
【図７】使用の態様を表す図
【図８】作動態様の説明図
【図９】第２実施形態の引き戸の吊下げ支持装置の正面図
【図１０】図９における左側面図
【図１１】吊下げ支持装置の単体を表わす正面図
【図１２】図１１の平面図
【図１３】吊下げ支持装置の中央拡大断面図
【図１４】図１３のＢ−Ｂ視断面図
【符号の説明】
【００３５】
１      自動ドア装置
２，２Ａ      上部支持構造部材
３      ガイドレール
３’    ローラ案内面
５      引き戸
５Ａ    引き戸本体
１０，１０Ａ    引き戸の吊下げ支持装置
１１    吊り車
１２，３２    支持部片
１３，２４，３３    連結部片
１３ａ    枢支軸
１４    ローラ
１６    取付ねじ孔
２０，３０    取付具
２１    ベース部片
２２    ブラケット
２４ａ    連結部片の軸部
２７，４０    連結桿
３０ａ    取付具装着フレーム
３１    保持体
３３ａ    連結部片の支持軸
３４    軸受穴
【図１】
2008115568.tif 000003
【図２】
2008115568.tif 000004
【図３】
2008115568.tif 000005
【図４】
2008115568.tif 000006
【図５】
2008115568.tif 000007
【図６】
2008115568.tif 000008
【図７】
2008115568.tif 000009
【図８】
2008115568.tif 000010
【図９】
2008115568.tif 000011
【図１０】
2008115568.tif 000012
【図１１】
2008115568.tif 000013
【図１２】
2008115568.tif 000014
【図１３】
2008115568.tif 000015
【図１４】
2008115568.tif 000016